(57)【要約】【課題】ＬＥＤプレートを装置本体に直接貼着することで、照明用ハウジング内の空間を有効に利用し、また該ＬＥＤプレートと該装置本体とを着脱自在にすることで、設置後の微調整を容易にしたＬＥＤ照明装置を提供する。【解決手段】ＬＥＤ照明装置１０は、ＬＥＤプレート１１と装置本体１２とを、電線１３で接続して構成される。ＬＥＤプレートは、平板状の基板からなる。ＬＥＤプレートの上面側に、複数個のＬＥＤを所定の配列パターンで配置した。そして、ＬＥＤプレートの下面側に、全面に亘って面ファスナ１４ａを接着した。一方、装置本体１２は、その両端に照明用ハウジングに予め配設された照明装置用のソケットに係合する口金１５を設けた。そして、該装置本体の外側面全周囲に亘って、面ファスナ１４ｂを接着した。そのうえで、装置本体の面ファスナ１４ｂにＬＥＤプレートの面ファスナ１４ａを貼着して、ＬＥＤ照明装置１０を構成した。【選択図】図６
2008270005.tif 000002
【特許請求の範囲】
【請求項１】
平板状の基板の上面に複数個の発光ダイオードを配設した少なくとも一枚のＬＥＤプレートと、予め所定の設置場所に配設された照明装置用ソケットへ係合する口金を具備する装置本体とを、電線で接続して構成したＬＥＤ照明装置において、
前記ＬＥＤプレートの下面に貼着部を設け、前記装置本体の外側面に被貼着部を設けて、
該ＬＥＤプレートが、該装置本体へ着脱自在に貼着されるようにしたことを特徴とするＬＥＤ照明装置。
【請求項２】
前記貼着部及び前記被貼着部を、面ファスナとしたことを特徴とする請求項１に記載のＬＥＤ照明装置。
【発明の詳細な説明】
【技術分野】
【０００１】
本発明は、発光ダイオード（以下「ＬＥＤ」という）を用いたＬＥＤ照明装置に関する。
【背景技術】
【０００２】
実用新案登録第３１２０８４８号公報には、ＬＥＤ照明装置を各形式の自動車の車内灯の座体に組み込むことができる車両用室内ＬＥＤ照明装置が開示されている。該ＬＥＤ照明装置は、複数個のＬＥＤを基板上に配したＬＥＤ照明装置板と、ソケットに係合する口金及びコネクタを設けた接続端子と別個に形成し、該ＬＥＤ照明装置板と該接続端子とをハーネスで連結し、コネクタ接続したものである。
【特許文献１】実用新案登録第３１２０８４８号公報
【発明の開示】
【発明が解決しようとする課題】
【０００３】
しかしながら、上記のＬＥＤ照明装置板と接続端子とを別個に形成したＬＥＤ照明装置は、ＬＥＤ照明装置板を、照明装置用のソケットが配設され、反射板を兼ねる湾曲した内側面を有するハウジングに固定する必要がある。この場合、ＬＥＤ照明装置板は、ネジ止めして固定するか、若しくは、接着剤や両面粘着テープで該反射板に直接貼り着けて固定されている。
【０００４】
そのため、上記の固定方法では、以下のような問題がある。
第一に、ネジ止めの場合は内装に穴を開けることになる。また、接着剤を用いた場合は直接ハウジング等に接着剤が塗布される。そのため、一度位置決めして固定するとやり直しすることができないという問題がある。
第二に、照明装置用のハウジングは光源から照射される光束を一定方向に指向させるための反射板を兼ねていることから、その内側面が湾曲している。そこへ、両面粘着テープで貼着しようとした場合、ＬＥＤ照明装置板と、ハウジング内側面との間に隙間が生じる。そのため、十分な固着力で固定できないという問題がある。
第三に、上記ＬＥＤ照明装置板を直接設置場所へ貼着した場合、交換する際に板材が割れるおそれがある等、容易に交換することができないという問題がある。
またその他、固定する力が弱かった場合、ＬＥＤ照明装置板が設置箇所から外れ、ハーネス等で引っ張られた接続端子がソケットから外れるおそれがある等の問題がある。
【０００５】
そこで、本発明は、上記の課題を解決するものであって、ＬＥＤプレートを装置本体に直接貼着することで、ハウジング内の空間を有効に利用し、また該ＬＥＤプレートと該装置本体とを着脱自在にすることで、設置後の微調整を容易にしたＬＥＤ照明装置を提供することを目的とする。
【課題を解決するための手段】
【０００６】
請求項１に記載の発明に係るＬＥＤ照明装置は、平板状の基板の上面に複数個の発光ダイオードを配設した少なくとも一枚のＬＥＤプレートと、予め所定の設置場所に配設された照明装置用ソケットへ係合する口金を具備する装置本体とを、電線で接続して構成した照明装置において、前記ＬＥＤプレートの下面に貼着部を設け、前記装置本体の外側面に被貼着部を設けて、該ＬＥＤプレートが、該装置本体へ着脱自在に貼着されるようにしたことを特徴とする。
【０００７】
請求項２に記載の発明は、請求項１に記載のＬＥＤ照明装置において、前記貼着部及び前記被貼着部を、面ファスナとしたことを特徴とする。
【発明の効果】
【０００８】
請求項１に記載の発明によれば、ＬＥＤプレートに設けた貼着部と、該ＬＥＤプレートと別体に形成し、予め照明用ハウジング内に配設された照明装置用のソケットに係合する口金を有する装置本体に設けた被貼着部とを、直接貼着するようにした。
そのため、照明装置用のソケットを配設したハウジングの内側面が湾曲しているときであっても、照明装置を該ハウジング内に収納し、固定することできる。また、着脱自在であるので、照明装置の設置後に、取付位置を微調整することが容易に行うことができる。
さらに、装置本体に貼着されるＬＥＤプレートは、従来のＬＥＤ照明装置板をハウジングに固定した場合に対して、照明装置用ハウジング内の中心付近に固定される。そのため、奥まった場所に設置する場合よりも、ハウジング内の空間を有効に利用したＬＥＤ照明装置を設置することができる。
【０００９】
請求項２に記載の発明によれば、貼着部と被貼着部とからなる貼着手段を、面ファスナとした。そのため、ＬＥＤプレートを装置本体への固定を容易にすることができる。また貼着後のＬＥＤプレートの位置調整も容易にできる。さらに、面ファスナの構造により、装置本体からＬＥＤプレートに伝わる振動を吸収することができる。
【実施例１】
【００１０】
本発明を構成する実施例を、添付した図面にしたがって説明する。図１は本実施例のＬＥＤ照明装置１０を示した平面図である。図２に該ＬＥＤ照明装置１０の側面図を示し、図３に該ＬＥＤ照明装置１０の底面図を示した。
【００１１】
ＬＥＤ照明装置１０は、ＬＥＤプレート１１と装置本体１２とを、図１から図３に示すように、電線１３で接続して構成される。
ＬＥＤプレート１１は、平板状の基板からなる。ＬＥＤプレート１１の上面側には、８個のＬＥＤが４個ずつ２列で整列配置されている。そして、ＬＥＤプレート１１の下面側には、整流回路、制御回路等を構成する抵抗、ダイオード、集積回路等の素子が配設され（図示せず）、さらに、それらの素子を覆うように、ＬＥＤプレート１１の下面全面に面ファスナ１４ａが接着されている。
また、ＬＥＤプレート１１の所定箇所には、電線１３の一端１３ａが固着されている。
【００１２】
本実施例では、ＬＥＤプレート１１上のＬＥＤが、２×４個の配列パターンによって配置されたものを示した。しかし、ＬＥＤプレート１１上に配するＬＥＤの数は、上記に限定されるものではなく任意である。また、配置されるＬＥＤの発光色、発光パターンは、自由に設定することができる。
【００１３】
装置本体１２は、その両端に照明装置用ソケットに係合する口金１５が設けられている。口金１５は、金属製の円錐形のキャップに金属製の円筒を連設して形成されている。
ここで、照明装置用のソケットとは、反射板を兼ねる湾曲した内側面を具備する照明装置用のハウジングに予め設けられているものを示す。そして、該口金１５は、照明装置用のソケットの規格に準拠して、複数のサイズが設けられている。
【００１４】
装置本体１２の内部には、一端１３ａがＬＥＤプレート１１に接続された電線１３の他端１３ｂが固着されている。また、上記のＬＥＤプレート１１の下面側に配設した整流回路、制御回路等は、該ＬＥＤプレート１１が小さく、それら回路を設ける場所が確保できない等の場合、装置本体１２の内部に設けることもできる。
さらに、装置本体１２の外側面全周囲に亘って、面ファスナ１４ｂが接着されている。
【００１５】
図４及び図５には、本実施例のＬＥＤ照明装置１０の回路構成の概略をブロック図で示した。図４は、電源が直流である場合であって、図５は、電源が交流である場合である。図示したように、ＬＥＤプレート１１は、並列に接続して、増設することができる。
そのため、複数枚のＬＥＤプレート１１を連設すれば、各ＬＥＤプレートの照射方向を変えてハウジング内に設置することができる。
【００１６】
上記のように構成したＬＥＤ照明装置１０は、以下のように使用することができる。図６及び図７は、ＬＥＤ該照明装置１０の使用方法を斜視図を示したものである。
装置本体１２は、照明装置用ハウジング内に予め配設された照明装置用のソケットに口金１５を係止して固定される。そして、図６に示したように、装置本体１２の長手方向と、ＬＥＤプレート１１の長手方向との方向を一致させて、装置本体１２の面ファスナ１４ｂにＬＥＤプレート１１の面ファスナ１４ａを貼着させる。また、ＬＥＤ照明装置１０が収められるハウジングの形状によっては、装置本体１２の長手方向に対して余裕がなく、幅方向に対して余裕がある場合もある。そのときは、図７に示したように、ＬＥＤプレート１１の縦横を入れ替えて、装置本体１２に貼着して対応することができる。
【００１７】
ここで、照明装置用のハウジングは、一般的に光を効率よく反射させるために縦断面が伏せ椀状となるように形成されている。本実施例においては、装置本体１２にＬＥＤプレート１１を直接貼着するようにした。そのため、上記の伏せ椀状の底部分に直接固定若しくは貼着する従来のＬＥＤ照明装置板と比べて、ＬＥＤプレート１１は、ハウジング内の空間に設置されるので、該空間を有効に利用して、より大きなＬＥＤプレート１１を設置することができる。
【００１８】
また、装置本体１２にＬＥＤプレート１１を面ファスナ１４ａ，１４ｂによって着脱自在に貼着するようにした。そのため、容易に固定することができ、同時に、固定後も取付位置、取付角度等の微調整を容易に行うことができる。さらに、面ファスナの構造によって、車体からハウジング、若しくはソケットを通して伝わる細かな振動を、ある程度吸収させることができる。
【実施例２】
【００１９】
第２実施例として示したＬＥＤ照明装置１０Ａは、図８に示すように、装置本体１２Ａにバルブ形の口金１５Ａを設けたものである。
ここで、ＬＥＤ照明装置１０ＡのＬＥＤプレート１１及び面ファスナ１４ａ，１４ｂは、実施例１と同様であるので、説明を省略する。
装置本体１２Ａは、先端部に、規格に準拠したソケットに係合するように、バルブ形の口金１５Ａが設けられ、後端部に、一端１３ａがＬＥＤプレート１１に接続された電線１３の他端１３ｂが接続されている。
また、後端部の周縁部には、面ファスナ１４ｂを貼着するため、一対の平板からなる台座１６が設けられている。該台座１６には、実施例１で示した面ファスナ１４ｂの裏面が、それぞれの外側面側に接着され、面ファスナ１４ｂはコの字状に台座１６に接着される。したがって、電線１３は面ファスナ１４ｂと干渉せず、上下いずれの側面部からでも引き出すことができる。
【００２０】
以上のように構成された、実施例２の照明装置１０Ａは、以下のように使用される。
台座１６へコの字状に接着された面ファスナ１４ｂの左右側面、あるいは後側面のうち、いずれかの面を選択して、図８に示したように、後側面を選択した場合や、或いは図９に示したように、右側面を選択した場合等のように、該選択した側面の面ファスナ１４ｂに、実施例１と同様にＬＥＤプレート１１の面ファスナ１４ａを貼着する。
【００２１】
図８と図９とには、台座１６の後端部を覆うようにコの字状に面ファスナ１４ｂを配したが、面ファスナ１４ｂの接着はこれに限定されるものではなく、例えば、図１０に示したように、台座１６の下端部を選択し、選択した端部を覆うようにコの字状に面ファスナ１４ｂを接着することもできる。そのため、口金１５Ａが係合するソケットの向きで決定してしまうＬＥＤ照明装置１０Ａの向きにかかわらず、貼着するＬＥＤプレート１１は、最も照射効率の良い方向に向けて固定することができる。
【実施例３】
【００２２】
実施例３として示したＬＥＤ照明装置１０Ｂは、図１１に示すように、装置本体１２Ｂにウェッジ形の口金１５Ｂを設けたものである。
口金１５Ｂの形状の他は、実施例２に示したＬＥＤ照明装置１０Ａと同様であるので、説明を省略する。
【実施例４】
【００２３】
以上、実施例１乃至実施例３は、主に車載用として利用される照明装置について記載したものである。
実施例４として、図１２に示したＬＥＤ照明装置１０Ｃは、一般住居用等の電球用ハウジングに本発明を適用したものである。
【００２４】
ＬＥＤ照明装置１０Ｃは、ＬＥＤプレート１１と装置本体１２Ｃとを電線１３で接続して構成される。ＬＥＤプレート１１、電線１３及び面ファスナ１４ａ，１４ｂは、実施例１等と同様であるため説明を省略する。
【００２５】
装置本体１２Ｃは、図１３に示したように、一般的な電球の形状に形成され、口金１５Ｃは該電球の口金と同形状である。そのため、電球用のソケットに係合させることができる。そして、装置本体１２Ｃは、アクリル等の合成樹脂等から形成される。また、面ファスナ１４ｂは、該装置本体１２Ｃに巻き付けられ、接着される。
【００２６】
上記構成した装置本体１２Ｃの面ファスナ１４ｂにＬＥＤプレート１１の面ファスナ１４ａを貼着してＬＥＤ照明装置１０Ｃは構成される。ここで、図４及び図５に示したように、ＬＥＤプレート１１は、複数枚連設することができる。そのため、装置本体１２Ｃの周囲に複数枚のＬＥＤプレート１１を貼着させることができる。また、装置本体１２Ｃは、一般的な電球のように断面形状を円形に限定されることなく、ＬＥＤプレートを確実に貼着するために断面形状を多角形とすることもできる。
【００２７】
上記構成した照明装置１０Ｃによれば、口金１５Ｃは、従来の電球用のソケットに係合させることができ、ＬＥＤを利用していることから、電球、蛍光灯を使用した場合と比べて、消費電力を抑えることができ、電気料金を節約することができる。
【実施例５】
【００２８】
実施例５として、図１４に示したＬＥＤ照明装置１０Ｄは、一般住居用等の蛍光灯用ハウジングにに本発明を適用したものである。
ＬＥＤ照明装置１０Ｄは、図１５に示したように、装置本体１２Ｄに、面ファスナ１４ｂが螺旋状に巻き付けて接着されている。そして、該面ファスナ１４ｂに、実施例４と同様に連設した複数枚のＬＥＤプレート１１を貼着させて構成されている。
その他は、実施例４と同様であるので、説明を省略する。
【００２９】
本発明のＬＥＤ照明装置１０，１０Ａ，１０Ｂ，１０Ｃ，１０Ｄによれば、複数個のＬＥＤを配したＬＥＤプレート１１を、装置本体１２，１２Ａ，１２Ｂ，１２Ｃ，１２Ｄに面ファスナ１４ａ，１４ｂを介して、着脱自在に、かつ、直接貼着した。
そのため、第一に、照明用ハウジング内に設置されている照明装置用のソケットを流用することができる。第二に、装置本体１２，１２Ａ，１２Ｂ，１２Ｃ，１２Ｄ上にＬＥＤプレート１１を配する構成であるため、照明用ハウジング内の空間を有効に利用することができる。第三に、着脱自在に構成したので、ＬＥＤプレート１１の固定後も、取付位置、取付角度の微調整を容易にすることができる。
【図面の簡単な説明】
【００３０】
【図１】実施例１に係る照明装置の平面図である。
【図２】実施例１に係る照明装置の側面図である。
【図３】実施例１に係る照明装置の底面図である。
【図４】実施例１に係る照明装置の回路構成の概略を示したブロック図である。
【図５】実施例１に係る照明装置の回路構成の概略を示したブロック図である。
【図６】実施例１に係る照明装置の使用方法の一例を示した斜視図である。
【図７】実施例１に係る照明装置の使用方法の一例を示した斜視図である。
【図８】実施例２に係る照明装置を示した斜視図である。
【図９】実施例２に係る照明装置の使用例を示した斜視図である。
【図１０】実施例２に係る照明装置の使用例を示した斜視図である。
【図１１】実施例３に係る照明装置を示した斜視図である。
【図１２】実施例４に係る照明装置を示した斜視図である。
【図１３】実施例４に係る照明装置で、電球に似せて形成した装置本体を示した斜視図である。
【図１４】実施例５に係る照明装置を示した斜視図である。
【図１５】実施例５に係る照明装置で、蛍光灯に似せて形成した装置本体を示した斜視図である。
【符号の説明】
【００３１】
１０，１０Ａ，１０Ｂ，１０Ｃ，１０Ｄ…照明装置、１１…ＬＥＤプレート、１２，１２Ａ，１２Ｂ，１２Ｃ，１２Ｄ…装置本体、１３…電線、１３ａ，１３ｂ…電線の端部、１４ａ，１４ｂ…面ファスナ、１５、１５Ａ、１５Ｂ、１５Ｃ、１５Ｄ…口金、１６…台座。
【図１】
2008270005.tif 000003
【図２】
2008270005.tif 000004
【図３】
2008270005.tif 000005
【図４】
2008270005.tif 000006
【図５】
2008270005.tif 000007
【図６】
2008270005.tif 000008
【図７】
2008270005.tif 000009
【図８】
2008270005.tif 000010
【図９】
2008270005.tif 000011
【図１０】
2008270005.tif 000012
【図１１】
2008270005.tif 000013
【図１２】
2008270005.tif 000014
【図１３】
2008270005.tif 000015
【図１４】
2008270005.tif 000016
【図１５】
2008270005.tif 000017
【手続補正書】
【提出日】平成19年8月3日(2007.8.3)
【手続補正１】
【補正対象書類名】特許請求の範囲
【補正対象項目名】請求項１
【補正方法】変更
【補正の内容】
【請求項１】
平板状の基板の上面に複数個の発光ダイオードを配設した少なくとも一枚のＬＥＤプレートと、予め所定の設置場所に配設された照明装置用ソケットへ係合する口金を具備する円筒形の装置本体とを、電線で接続して構成した車載用ＬＥＤ照明装置において、
前記ＬＥＤプレートの下面と前記円筒形の装置本体の外周面とに面ファスナを貼着して、
該ＬＥＤプレートが、該装置本体へ面ファスナによって着脱自在に固定されるようにしたことを特徴とする車載用ＬＥＤ照明装置。
【手続補正２】
【補正対象書類名】明細書
【補正対象項目名】全文
【補正方法】変更
【補正の内容】
【発明の詳細な説明】
【技術分野】
【０００１】
本発明は、発光ダイオード（以下「ＬＥＤ」という）を用いたＬＥＤ照明装置に関する。
【背景技術】
【０００２】
実用新案登録第３１２０８４８号公報には、ＬＥＤ照明装置を各形式の自動車の車内灯の座体に組み込むことができる車両用室内ＬＥＤ照明装置が開示されている。該ＬＥＤ照明装置は、複数個のＬＥＤを基板上に配したＬＥＤ照明装置板と、ソケットに係合する口金及びコネクタを設けた接続端子と別個に形成し、該ＬＥＤ照明装置板と該接続端子とをハーネスで連結し、コネクタ接続したものである。
【特許文献１】実用新案登録第３１２０８４８号公報
【発明の開示】
【発明が解決しようとする課題】
【０００３】
しかしながら、上記のＬＥＤ照明装置板と接続端子とを別個に形成したＬＥＤ照明装置は、ＬＥＤ照明装置板を、照明装置用のソケットが配設され、反射板を兼ねる湾曲した内側面を有するハウジングに固定する必要がある。この場合、ＬＥＤ照明装置板は、ネジ止めして固定するか、若しくは、接着剤や両面粘着テープで該反射板に直接貼り着けて固定されている。
【０００４】
そのため、上記の固定方法では、以下のような問題がある。
第一に、ネジ止めの場合は内装に穴を開けることになる。また、接着剤を用いた場合は直接ハウジング等に接着剤が塗布される。そのため、一度位置決めして固定するとやり直しすることができないという問題がある。
第二に、照明装置用のハウジングは光源から照射される光束を一定方向に指向させるための反射板を兼ねていることから、その内側面が湾曲している。そこへ、両面粘着テープで貼着しようとした場合、ＬＥＤ照明装置板と、ハウジング内側面との間に隙間が生じる。そのため、十分な固着力で固定できないという問題がある。
第三に、上記ＬＥＤ照明装置板を直接設置場所へ貼着した場合、交換する際に板材が割れるおそれがある等、容易に交換することができないという問題がある。
またその他、固定する力が弱かった場合、ＬＥＤ照明装置板が設置箇所から外れ、ハーネス等で引っ張られた接続端子がソケットから外れるおそれがある等の問題がある。
【０００５】
そこで、本発明は、上記の課題を解決するものであって、ＬＥＤプレートを装置本体に直接貼着することで、ハウジング内の空間を有効に利用し、また該ＬＥＤプレートと該装置本体とを着脱自在にすることで、設置後の微調整を容易にした車載用ＬＥＤ照明装置を提供することを目的とする。
【課題を解決するための手段】
【０００６】
請求項１に記載の発明に係る車載用ＬＥＤ照明装置は、平板状の基板の上面に複数個の発光ダイオードを配設した少なくとも一枚のＬＥＤプレートと、予め所定の設置場所に配設された照明装置用ソケットへ係合する口金を具備する円筒形の装置本体とを、電線で接続して構成した車載用ＬＥＤ照明装置において、前記ＬＥＤプレートの下面と前記円筒形の装置本体の外周面とに面ファスナを貼着して、該ＬＥＤプレートが、該装置本体へ面ファスナによって着脱自在に固定されるようにしたことを特徴とする。
【発明の効果】
【０００７】
本発明の車載用ＬＥＤ照明装置によれば、ＬＥＤプレートの下面と、該ＬＥＤプレートと別体に形成し、予め照明用ハウジング内に配設された照明装置用のソケットに係合する口金を有する円筒形の装置本体の外周面とに面ファスナを貼着して、該ＬＥＤプレートが、該円筒形の装置本体へ着脱自在に直接固定されるようにした。
そのため、ＬＥＤプレートが円筒形の装置本体に着脱自在に固定されるから、円筒形の装置本体の口金をソケットに係合させた後に、円筒形の装置本体の曲面にしたがって、ＬＥＤプレートの傾斜を自在に調整することができ、該ＬＥＤプレート上に配されたＬＥＤの照射角度を自在に設定することができる。また、円筒形の装置本体にＬＥＤプレートを面ファスナを介して直接固定するから、照明用ハウジングに、ＬＥＤプレートを直接貼付する必要がなく、容易に固定することができる。
さらに、ソケットに係合した円筒形の装置本体の外周面へＬＥＤプレートを固定したことから、該ＬＥＤプレートは、照明用ハウジング内の中心付近に配される。そのため、ハウジング内の空間を有効に利用することができる。
加えて、貼着手段が、面ファスナであるので、ＬＥＤプレートを装置本体への固定を容易にすることができる。さらに、面ファスナはループにフックを掛合する構造を有することから、装置本体よりＬＥＤプレートに伝わる振動を吸収することができる。
【実施例１】
【０００８】
本発明を構成する実施例を、添付した図面にしたがって説明する。図１は本実施例の車載用ＬＥＤ照明装置１０を示した平面図である。図２に該車載用ＬＥＤ照明装置１０の側面図を示し、図３に該車載用ＬＥＤ照明装置１０の底面図を示した。
【０００９】
車載用ＬＥＤ照明装置１０は、ＬＥＤプレート１１と装置本体１２とを、図１から図３に示すように、電線１３で接続して構成される。
ＬＥＤプレート１１は、平板状の基板からなる。ＬＥＤプレート１１の上面側には、８個のＬＥＤが４個ずつ２列で整列配置されている。そして、ＬＥＤプレート１１の下面側には、整流回路、制御回路等を構成する抵抗、ダイオード、集積回路等の素子が配設され（図示せず）、さらに、それらの素子を覆うように、ＬＥＤプレート１１の下面全面に面ファスナ１４ａが接着されている。
また、ＬＥＤプレート１１の所定箇所には、電線１３の一端１３ａが固着されている。
【００１０】
本実施例では、ＬＥＤプレート１１上のＬＥＤが、２×４個の配列パターンによって配置されたものを示した。しかし、ＬＥＤプレート１１上に配するＬＥＤの数は、上記に限定されるものではなく任意である。また、配置されるＬＥＤの発光色、発光パターンは、自由に設定することができる。
【００１１】
円筒形に形成された装置本体１２は、その両端に照明装置用ソケットに係合する口金１５が設けられている。口金１５は、金属製の円錐形のキャップに金属製の円筒を連設して形成されている。
ここで、照明装置用のソケットとは、反射板を兼ねる湾曲した内側面を具備する照明装置用のハウジングに予め設けられているものを示す。そして、該口金１５は、照明装置用のソケットの規格に準拠して、複数のサイズが設けられている。
【００１２】
装置本体１２の内部には、一端１３ａがＬＥＤプレート１１に接続された電線１３の他端１３ｂが固着されている。また、上記のＬＥＤプレート１１の下面側に配設した整流回路、制御回路等は、該ＬＥＤプレート１１が小さく、それら回路を設ける場所が確保できない等の場合、装置本体１２の内部に設けることもできる。
さらに、装置本体１２の外側面の全周囲に亘って、面ファスナ１４ｂが接着されている。
【００１３】
図４及び図５には、本実施例の車載用ＬＥＤ照明装置１０の回路構成の概略をブロック図で示した。図４は、電源が直流である場合であって、図５は、電源が交流である場合である。図示したように、ＬＥＤプレート１１は、並列に接続して、増設することができる。
そのため、複数枚のＬＥＤプレート１１を連設すれば、各ＬＥＤプレートの照射方向を変えてハウジング内に設置することができる。
【００１４】
上記のように構成した車載用ＬＥＤ照明装置１０は、以下のように使用することができる。図６及び図７は、車載用ＬＥＤ該照明装置１０の使用方法を斜視図を示したものである。
装置本体１２は、照明装置用ハウジング内に予め配設された照明装置用のソケットに口金１５を係止して固定される。そして、図６に示したように、装置本体１２の長手方向と、ＬＥＤプレート１１の長手方向との方向を一致させて、装置本体１２の面ファスナ１４ｂにＬＥＤプレート１１の面ファスナ１４ａを貼着させる。また、車載用ＬＥＤ照明装置１０が収められるハウジングの形状によっては、装置本体１２の長手方向に対して余裕がなく、幅方向に対して余裕がある場合もある。そのときは、図７に示したように、ＬＥＤプレート１１の縦横を入れ替えて、装置本体１２に貼着して対応することができる。
【００１５】
ここで、照明装置用のハウジングは、一般的に光を効率よく反射させるために縦断面が伏せ椀状となるように形成されている。本実施例においては、装置本体１２にＬＥＤプレート１１を直接貼着するようにした。そのため、上記の伏せ椀状の底部分に直接固定若しくは貼着する従来のＬＥＤ照明装置板と比べて、ＬＥＤプレート１１は、ハウジング内の空間に設置されるので、該空間を有効に利用して、より大きなＬＥＤプレート１１を設置することができる。
【００１６】
また、装置本体１２にＬＥＤプレート１１を面ファスナ１４ａ，１４ｂによって着脱自在に貼着するようにした。そのため、容易に固定することができ、同時に、固定後も取付位置、取付角度等の微調整を容易に行うことができる。さらに、面ファスナの構造によって、車体からハウジング、若しくはソケットを通して伝わる細かな振動を、ある程度吸収させることができる。
【００１７】
本発明の車載用ＬＥＤ照明装置１０によれば、複数個のＬＥＤを配したＬＥＤプレート１１を、装置本体１２に面ファスナ１４ａ，１４ｂを介して、着脱自在に固定した。
そのため、第一に、照明用ハウジング内に設置されている照明装置用のソケットを流用することができる。第二に、円筒形の装置本体１２の外周面にＬＥＤプレート１１を固定する構成であることから、照明用ハウジング内に直接貼着するに比して、該照明用ハウジング内の空間を有効に利用することができる。第三に、ＬＥＤプレート１１を着脱自在に構成したので、該ＬＥＤプレート１１の固定後も、取付位置、取付角度の微調整を容易にすることができる。
【図面の簡単な説明】
【００１８】
【図１】実施例１に係る照明装置の平面図である。
【図２】実施例１に係る照明装置の側面図である。
【図３】実施例１に係る照明装置の底面図である。
【図４】実施例１に係る照明装置の回路構成の概略を示したブロック図である。
【図５】実施例１に係る照明装置の回路構成の概略を示したブロック図である。
【図６】実施例１に係る照明装置の使用方法の一例を示した斜視図である。
【図７】実施例１に係る照明装置の使用方法の一例を示した斜視図である。
【符号の説明】
【００１９】
１０…照明装置、１１…ＬＥＤプレート、１２…装置本体、１３…電線、１３ａ，１３ｂ…電線の端部、１４ａ，１４ｂ…面ファスナ、１５…口金、１６…台座。
【手続補正３】
【補正対象書類名】図面
【補正対象項目名】全図
【補正方法】変更
【補正の内容】
【図１】
2008270005.tif 000018
【図２】
2008270005.tif 000019
【図３】
2008270005.tif 000020
【図４】
2008270005.tif 000021
【図５】
2008270005.tif 000022
【図６】
2008270005.tif 000023
【図７】
2008270005.tif 000024